(57)【特許請求の範囲】
【請求項１】
コンピュータにより実行される、対象者の身体状況を判断する方法であって、
ａ．前記対象者の栄養パラメータ、身体持久力パラメータ、及び筋力パラメータの分類システムを含むデータベースを格納するステップと、
ｂ．前記パラメータの値を評価及び採点するステップであって、
ｂ１．前記身体持久力パラメータの評価が、前記対象者の歩行速度を測定することにより前記対象者の機能的能力を測定するサブステップを含み、
ｂ２．前記筋力パラメータの評価が、握力を測定することで上半身の筋力を求めるサブステップを含み、
ｃ．得られた点数を使用して、前記対象者を前記パラメータのそれぞれに関するクラスに分類するステップと、
ｄ．各パラメータについて求められた前記クラスを使用して、前記対象者の身体状況を判断するステップと
を含み、
前記対象者が前記方法を受けるのに適しているか否かを前記ステップａの前に判断するために、前記対象者が自己の最大可能速度で所定の距離を歩いたときの速度を測定するステップを更に含む、
方法。
【請求項２】
前記対象者が高齢の対象者であり、好ましくは、６５歳を超える人間の対象者である、請求項１に記載の方法。
【請求項３】
前記栄養パラメータが、簡易栄養状態評価表及び／又は１日の蛋白質摂取量の評価により評価される、請求項１又は２に記載の方法。
【請求項４】
ステップａ〜ｄが３０分以内又は９０分以内に実行される、請求項１〜３のいずれか一項に記載の方法。
【請求項５】
ステップａ〜ｄが規定の間隔で反復され、好ましくは、８〜１６週間ごとに反復される、請求項１〜４のいずれか一項に記載の方法。
【請求項６】
前記身体状況を判断した後に、求められた点数に基づいて、栄養、身体持久力、及び筋力に関する推奨事項を前記対象者に提供するステップであり、前記栄養が、身体持久力及び筋力を向上させる生物活性栄養素を含む、該ステップを含む請求項１に記載の方法。
【請求項７】
前記身体持久力パラメータについて求められたクラスに基づいて、求められたクラスごとに異なる特定の運動プログラムを推奨する、請求項６に記載の方法。
【請求項８】
前記筋力パラメータについて求められたクラスに基づいて、求められたクラスごとに異なる特定の運動プログラムを推奨する、請求項６に記載の方法。
【請求項９】
対象者の身体状況を判断する、コンピュータを備えるシステムであって、
ａ．前記コンピュータが、対象者の栄養パラメータ、身体持久力パラメータ、及び筋力パラメータの分類システムを含むデータベースを格納しており、
ｂ．前記コンピュータが、
ｉ．前記対象者の前記パラメータの値を受領及び格納させるステップと、
ｉｉ．前記対象者の前記パラメータの値を評価及び採点させるステップであって、前記身体持久力パラメータの評価が、前記対象者の歩行速度を測定することにより前記対象者の機能的能力を測定するサブステップを含み、前記筋力パラメータの評価が、握力を測定することで上半身の筋力を求めるサブステップを含む、該ステップと、
ｉｉｉ．得られた点数を使用して前記対象者を前記パラメータのそれぞれに関するクラスに分類させるステップと、
ｉｖ．前記クラスを出力させ、それによって前記クラスに基づいて前記対象者の身体状況を示させるステップと
を前記コンピュータに実行させる命令を含むソフトウェアプログラムを格納し、
前記ソフトウェアプログラムが、前記対象者が自己の最大可能速度で所定の距離を歩いたときの速度を測定することで、前記対象者が前記身体状況の判断を受けるのに適しているか否かを、前記データベースを格納する前に判断するステップを前記コンピュータに実行させる命令を更に含む、
システム。
【請求項１０】
対象者の身体状況の向上を促進する、コンピュータを備えるシステムであって、
ａ．前記コンピュータが、対象者の栄養パラメータ、身体持久力パラメータ、及び筋力パラメータの分類システムを含むデータベースを格納しており、
ｂ．前記コンピュータが、
ｉ．前記対象者の前記パラメータの値を受領及び格納させるステップと、
ｉｉ．前記対象者の前記パラメータの値を評価及び採点させるステップであって、前記身体持久力パラメータの評価が、前記対象者の歩行速度を測定することにより前記対象者の機能的能力を測定するサブステップを含み、前記筋力パラメータの評価が、握力を測定することで上半身の筋力を求めるサブステップを含む、該ステップと、
ｉｉｉ．得られた点数を使用して前記対象者を前記パラメータのそれぞれに関するクラスに分類させるステップと、
ｉｖ．求められた前記クラスに基づいて、栄養、身体持久力、及び筋力に関する前記対象者への推奨事項を関連付けさせるステップと、
ｖ．前記推奨事項を出力させるステップと
を前記コンピュータに実行させる命令を含むソフトウェアプログラムを格納し
前記ソフトウェアプログラムが、前記対象者が自己の最大可能速度で所定の距離を歩いたときの速度を測定することで、前記対象者が前記身体状況の判断を受けるのに適しているか否かを、前記データベースを格納する前に判断するステップを前記コンピュータに実行させる命令を更に含む、
システム。
【発明の詳細な説明】
【技術分野】
【０００１】
本発明は、栄養摂取、持久力、及び筋力の評価及び助言に関する。
【背景技術】
【０００２】
ここ数十年で、西欧諸国及び日本では、人口における高齢者の数が増えている。これらの高齢者は、病弱で、支援に頼っていることが多い。しかし、虚弱の進展は必然的なものではない。高齢者に適切な助言と運動を与えることにより、負の進展の多くを防ぐことができる。したがって、高齢者が生活の質を高めるための十分な健康状態を維持又は達成できるように支援することが望ましい。
【発明の概要】
【発明が解決しようとする課題】
【０００３】
この問題に対する従来のアプローチは、栄養摂取や身体能力に関する個人間の潜在的に重要な違いを十分に考慮せずに、特定の集団に対する非個別化された一般的推奨事項を提供することを概して含んでいた。運動と特定の栄養素とを含む個別化されたアプローチのほうが、筋骨格の健康を強化するのに効率的である可能性が高い。そのような個別化された推奨事項は、対象者の栄養状態及び身体能力／状態の個別化された評価を行うことで、初めて可能となる。よって、そのような評価を短時間で行うための新規の方法が求められる。このアプローチでは、高齢者に助言及び運動を与えるための協調的な方法を用意する必要がある。
【課題を解決するための手段】
【０００４】
本発明は、対象者の身体状況を判断するコンピュータ実施方法であって、対象者の栄養パラメータ、身体持久力パラメータ、及び筋力パラメータの分類システムを用意するステップと、対象者のパラメータの値を評価及び採点するステップと、得られた点数を使用して、対象者をそれぞれのパラメータに関するクラスに分類するステップと、各パラメータについて求められたクラスを使用して、対象者の身体状況を判断するステップとを含む方法に関する。
【０００５】
この方法の第１のステップでは、対象者が本発明の方法を受けるのに適しているか否かが判断できる。対象者は、高齢の対象者であり得、６５歳を超える人間の対象者であることが好ましい。持久力パラメータは、対象者に所定の時間又は一定の距離を歩かせることによって評価できる。筋力パラメータは、握力の測定又は立ち上がり試験の実施によって評価できる。栄養パラメータは、ＭＮＡ及び／又は１日の蛋白質摂取量の評価によって評価できる。この方法のステップは、３０分以内又は９０分以内に実行できる。これらのステップは、既定の間隔で反復でき、８〜１６週間ごとに反復されることが好ましい。
【０００６】
さらなる実施形態では、本発明は、対象者の身体状況を向上させるコンピュータ実施方法であって、上述した方法のいずれかによって対象者の身体状況を判断するステップと、求められた点数に基づいて、栄養、身体持久力、及び筋力に関する推奨事項を対象者に提供するステップとを含み、栄養が、身体持久力及び筋力を向上させる生体活性栄養素を含む方法に関する。
【０００７】
身体持久力パラメータについて求められたクラスに基づいて、求められたクラスごとに異なる特定の運動プログラムを推奨することができる。筋力パラメータについて求められたクラスに基づいて、求められたクラスごとに異なる特定の運動プログラムを推奨することができる。
【０００８】
さらなる実施形態では、対象者の身体状況を判断する、コンピュータを備えるシステムであって、コンピュータが、対象者の栄養パラメータ、身体持久力パラメータ、及び筋力パラメータの分類システムを含むデータベースを格納し、コンピュータが、そのコンピュータに対象者のパラメータの値を受領及び格納させ、対象者のパラメータの値を採点させ、得られた点数を使用して対象者をそれぞれのパラメータに関するクラスに分類させ、クラスを出力させてそれによってクラスに基づいて対象者の身体状況を示させる命令を含むソフトウェアプログラムを格納するシステムである。
【０００９】
さらなる実施形態では、本発明は、対象者の身体状況の向上を促進する、コンピュータを備えるシステムであって、コンピュータが、対象者の栄養パラメータ、身体持久力パラメータ、及び筋力パラメータの分類システムを含むデータベースを格納し、コンピュータが、そのコンピュータに対象者の前記パラメータの値を受領及び格納させ、対象者の前記パラメータの値を採点させ、得られた点数を使用して対象者をそれぞれのパラメータに関するクラスに分類させ、求められたクラスに基づいて、栄養、身体持久力、及び筋力に関する対象者への推奨事項を関連付けさせ、推奨事項を出力させる命令を含むソフトウェアプログラムを格納するシステムに関する。
【００１０】
さらなる実施形態では、本発明は、老人介護を個別化する方法であって、身体機能試験、及び選択された高齢患者個体群の全体的な身体状況の識別に対する身体機能試験の妥当性に関するデータベースを作成するステップと、データベースをコンピュータに格納するステップと、コンピュータに特定の高齢患者個体群の筋力及び持久力並びに栄養状態に関する実施可能な機能試験の結果を判断させるコンピュータプログラムを実行するステップであり、機能試験結果が栄養、筋力、及び持久力に関するエンドポイントを含むステップと、エンドポイントを使用して、栄養、筋力、及び持久力の試験結果に基づいてガイドラインを生成するプログラムを実行するステップであり、ガイドラインを特定の高齢患者個体群のメンバーに対して栄養運動プログラムを個別化するために使用できるステップとを含む方法に関する。
【００１１】
少なくとも２つ又は３つの異なるプログラムが前記コンピュータによって使用され得る。コンピュータプログラムはコンピュータにより実行して、メンバーに対して栄養運動プログラムを個別化することができる。コンピュータプログラムは、身体状況をメンバーへの推奨事項に関連付け、それらの推奨事項を出力するステップをさらに含み得る。栄養運動プログラム中にメンバーを監視して、栄養、筋力、及び持久力を求めることができる。監視の結果に応じて、栄養運動プログラムを修正することができる。栄養運動プログラムは、メンバーの特定のニーズに適合した持久力及び筋力の運動プログラムであり得る。
【図面の簡単な説明】
【００１２】
【図１】３パラメータ方式において人が評価対象の栄養、持久力、及び筋力の各パラメータについてのレベル１、２、又は３の分類に関し評価される仕組みを示す概略図である。
【図２】どのパラメータ（栄養、筋力、持久力）が本発明の方法で判断されるかを示す概略図である。そのパラメータの状態が最初に判断され（図の上部）、適切な介入の後、３つのパラメータのすべてについて向上が確認される。
【図３】３パラメータ方式において人が筋力パラメータに関し評価される仕組みを示す概略図である。
【図４】本発明の方法の組み合わせの時間軸での全体像の例を示す図である。
【発明を実施するための形態】
【００１３】
定義
高齢の人／成人又は高齢者とは、６０歳を超える人と定義される。特に、高齢者は、６５歳超、７０歳超、７５歳超、８０歳超、８５歳超、又は９０歳超であり得る。また高齢者は、６０〜９０歳、６５〜９０歳、７０〜９０歳、７５〜９０歳、８０〜９０歳、８５〜９０歳、又は６０〜８５歳、６０〜８０歳、６０〜７５歳、６０〜７０歳、６０〜６５歳であり得る。上記のように定義される年齢の上限及び下限の任意の組み合わせも、本明細書で開示されると想定される。
【００１４】
約とは、特定の数値に対する範囲を規定するものと定義される。範囲は、特定の数値に対して＋／−１０％、＋／−７．５％、＋／−５％、＋／−２．５％、又は＋／−１％であり得る。
【００１５】
採点とは、対象者により実行された試験方法により取得された数値を追加の情報に関連付ける／変換する方法であり、追加の情報とは、通常はその対象者のその試験における成績に関する標準化された情報を与えるための追加の数値である。たとえば、対象者の歩行速度は２ｍ／秒であり得る。０〜１ｍ／秒の速度について、点数は１と定義されている。１ｍ／秒超〜２．５ｍ／秒までの速度について、得点は２と定義され、２．５ｍ／秒を超える速度について、点数は３と定義されている。よって、対象者の歩行速度は２と採点され得る。
【００１６】
身体活動準備アンケート（Ｐｈｙｓｉｃａｌ  Ａｃｔｉｖｉｔｙ  Ｒｅａｄｉｎｅｓｓ  Ｑｕｅｓｔｉｏｎｎａｉｒｅ；ＰＡＲ−Ｒ）とは、身体活動を高める前に医者の診断を受ける必要があるか否かを確認する１ページの書式である（２０１３年１月４日に検索されたｈｔｔｐ：／／ｗｗｗ．ｃｓｅｐ．ｃａ／ｃｍｆｉｌｅｓ／ｐｕｂｌｉｃａｔｉｏｎｓ／ｐａｒｑ／ｐａｒ−ｑ．ｐｄｆ）を参照）。
【００１７】
機能的有酸素容量とは、広義には、心肺適応能と機能的能力の組み合わせであると説明され得る。前者（心肺適応能）は、骨格筋に酸素を提供する循環系及び呼吸器系の能力を意味し、古典的には、最大運動試験中に直接的に又は準最大試験（心拍数測定）によって間接的に測定できる最大酸素摂取量（ＶＯ２ｍａｘ）によって特徴付けられる。後者（機能的能力）は、一般的には個人が肉体労働（たとえば、特定距離の歩行）を実行できる能力を意味する。これら２つはしばしば連動しており、機能的能力の高い個人は習慣的活動が高く、よって心肺適応能も高いことが多い（ＤｉＰｉｅｔｒｏ  Ｌ，Ｊ  Ｇｅｒｏｎｔｏｌ  Ａ  Ｂｉｏｌ  Ｓｃｉ  Ｍｅｄ  Ｓｃｉ  ５６（２）：１３−２２，２００１年）。
【００１８】
１代謝当量（Ｍｅｔａｂｏｌｉｃ  Ｅｑｕｉｖａｌｅｎｔ  Ｔａｓｋ；ＭＥＴ）は、安静時に消費されるエネルギーである。２ＭＥＴは、消費されるエネルギーが安静時の２倍であることを示す。３ＭＥＴは、安静時のエネルギー消費の３倍である。よって、毎時ＭＥＴの点数は、身体活動の強度の測定値である。
【００１９】
平均的な人が着席して安静にしているときの代謝率と、特定の人が何らかの作業をしているときの代謝率の比率。象徴ＭＥＴは、代謝当量から求められる。象徴ＭＥＴは、通常、医学において、トレッドミル試験時に測定される代謝率を表すために使用される。ＭＥＴの２つの定義は、本質的に同じである。
１ＭＥＴは、体重１キログラムあたり毎分３．５ミリリットルの酸素を消費する代謝率と等価である。
１ＭＥＴは、体重１キログラムあたり毎時１キロカロリーを消費する代謝率と等価である。
【００２０】
トレッドミル試験で、実際にＭＥＴを測定するには、被験者の酸素消費（及び吐き出される二酸化炭素）を測定できるようにするために、被験者がマスクを着用する必要がある。しかし、ＭＥＴは、他の要因に基づいてしばしば推定される。
【００２１】
ＭＥＴは、１分間に消費されるキロカロリー数に変換できる。すなわち、ｋｃａｌ／分＝ＭＥＴ×キログラム単位の体重÷６０である。
出典Ｃｏｍｐｅｎｄｉｕｍ  ｏｆ  Ｐｈｙｓｉｃａｌ  Ａｃｔｉｖｉｔｉｅｓ．Ａｉｎｓｗｏｒｔｈ，ＢＥ  ｅｔ  ａｌ．Ｍｅｄｉｃｉｎｅ  Ｓｃｉｅｎｃｅ  ｉｎ  Ｓｐｏｒｔｓ  ａｎｄ  Ｅｘｅｒｃｉｓｅ．Ｖｏｌ  ２５，Ｐｇ  ７１３（１９９３年）及びＶｏｌ  ３２，Ｓ４９８（２０００年）。
【００２２】
週ごとのＭＥＴ点数を求めるには、各活動のＭＥＴ値を、その活動のそれぞれの回で費やされた時間数で乗算した後、週ごとのすべての活動を追加する。
【００２３】
発明の詳細な説明
節見出しは主題を明確にする役割を果たすものであり、主題を限定するものと解釈されるべきではない。値の範囲が開示されている場合、個別の各値、特に各整数が、その範囲によって網羅されると考えられる。別途記載がない限り、％の値は、重量／重量（Ｗ／Ｖ）値に関する。
【００２４】
発明の基本概念
本発明は、高齢者を力づけ、個別化された生活様式栄養プログラムを通じて生活の質と自立を高める、新しい統合された全体的アプローチに関する。本発明は、これらの目的を達成するためのツールに関する。特に、本発明の目的は、高齢の対象者の身体状況（及び栄養状態）を評価する一連の試験を推奨して、個別化された訓練プログラムについての個別化された推奨事項（栄養の推奨事項も含む）を与えられるようにすることである。
【００２５】
第１の態様では、健康状態の個別の側面を評価するための多様な試験により、人、特に高齢者の健康状態を評価できるようにする方法が提供される。第２の態様では、これらの評価の結果を使用して、健康状態を向上させるための個別化された助言を被験者に提供する。
【００２６】
第１の態様の評価は、３次元で、すなわち３つのパラメータを使用して、行われる。これらの次元は、栄養、身体持久力、及び筋力である。これらのパラメータの値は、それぞれの人に対して個別に求められる。求められた値により、人を採点して特定のクラスに分けることができる。グループごとに、第２の態様で、栄養訓練プログラムについての予め定められた助言を与えることができる。重要なのは、個人の筋力及び持久力を向上させることを目的とした訓練プログラムに関する推奨事項に基づいて、栄養ニーズを適応させる必要があるということである。さらに、栄養プログラムの選択により、訓練プログラムを適応させるための新たな可能性が開ける。よって、それぞれがパラメータである３つの次元の間に相互作用が存在する。健康状態に関する高齢者のニーズに対処するにあたり、これら３つの次元及びパラメータの間の相互関係が考慮されるのは、これが初めてである。さらに、推奨事項は、個人のニーズに合わせた個別化レベルで提供される。
【００２７】
本発明の方法の概要
上述したように、方法の始まりは、関連するパラメータ（持久力、筋力、栄養摂取）を評価することである。
【００２８】
この評価の前に、本発明の評価方法に対する準備ができているかどうか、個人を個別に試験する場合がある（ＰＡＲ−Ｑアンケート等によるプログラム準備の事前評価、図４を参照）。したがって、ＰＡＲ−Ｑの結果に応じて、対象者は歩行試験（たとえば、４ｍの歩行試験）を行い、プログラムに従う能力に関連する歩行速度を評価する。これは第１体力評価である。たとえば、既に最適な健康状態にあり、それ以上の向上を必要としない人や、身体評価試験を受けられないほど健康状態が悪化しているときに、特許請求の範囲に記載された方法を受けさせるのは有益ではない。後者の場合、健康リスクの禁忌により、本発明の評価方法をそれらの人に適用することは禁じられる。
【００２９】
よって、本発明は、機能低下に陥る恐れがある人を支援することを目的とする。この個体群は、参加するための十分な健常性を有し、且つ恩恵を得られる可能性が最も高い。したがって、本発明全体は、さらなる機能低下と戦うことを目的とする。
【００３０】
よって、ＰＡＲ−Ｑアンケートの後の第１体力評価は、歩行速度の評価である。これらはいずれも、５〜２０分又は１０〜１５分の短い時間で実行される。
【００３１】
第２体力評価は、本発明の測定の主要評価であり、筋力評価、持久力評価、及び栄養評価を含む。この第２試験群は、２０〜９０分、２５〜７０分、３０〜６０分、４０〜６０分、又は約５０分で実行される。筋力評価、持久力評価、及び栄養評価の性質については、個別の見出しで説明する。
【００３２】
第２体力評価に続いて、習慣的活動の試験を実行することができる。習慣的活動試験では、人が歩行等の身体活動にどのくらいの頻度及び／又は程度で関わっているかを分析する。習慣的活動を測定する公知の形式は、歩数計である。習慣的活動は、１〜１０日間、２〜８日間、３〜７日間、又は５〜６日間で試験され得る。一般に、人は１日に１０００〜１００００歩歩くことができ、これを歩数計で測定することができる。１００００〜６０００歩歩く人は、活発な人と考えることができる。６０００歩未満の人は、あまり活発でない人と考えることができる。１０００歩未満の人は、脆弱な（たとえば、高齢の）人である。
【００３３】
主要評価の結果に基づき、それぞれの人は、個別化された栄養運動プログラムに参加する。このプログラムは、８〜２６週間、１２〜２０週間、又は約１６週間続く。習慣的活動を監視することにより、プログラムの進捗及び準拠を任意で制御することができる。この個別化された栄養運動プログラムが完了した後、筋力評価、持久力評価、及び栄養強化を含む主要評価がさらに実行される。このようにして、測定されるパラメータに関する人の進捗を求めることができる。進捗のレポートに基づき、個別化された栄養運動プログラムを修正又はキャンセルすることができる。よって、本発明の方法により、主要評価の結果に基づいて個別化された栄養運動プログラムを修正して、人に対する恩恵を最適化することができる。このプロセスの図解を図４に示す。よって、一実施形態では、本発明は、主要評価の結果に基づいて個別化された栄養運動プログラムを選択し、規定の期間後にそのプログラムの効果を評価し、それらの再評価に基づいて個別化された栄養運動プログラムを修正する、反復的なプロセスに関する。最後の２つのステップは、少なくとも２回、３回、４回、５回、６回、７回、８回、９回、１０回、又はそれ以上実行できる。このフィードバックループの前に、方法は、人が主要評価に対して適格であるか否かを判断する事前評価を含み得る。
【００３４】
第１評価
第１評価試験は、人が主要評価方法を受けるのに適しているか否かを評価する方法である。第１評価試験は、通常、被験者に対する試験条件が緩い。
【００３５】
身体活動準備アンケート（ＰＡＲ−Ｑ）は、推奨される試験及び運動が心臓の検知から医学的に安全であることをすばやく確認する役割を果たす。ＰＡＲ−Ｑの結果に応じて、対象者は、歩行試験（たとえば、４ｍの歩行試験）を実行してその身体能力の第１評価を行う。対象者は、一定の距離を歩かなければならず、その際、その距離を最大可能速度で歩くことを求められる。人がその距離を歩いたときに測定された速度により、その人が主要評価方法に適格であるか否かを判断することができる。測定値が予め定められた下限よりも低い場合、その人は主要評価に対して適格ではない。それらの場合、その人は得てして脆弱であり、たとえば老人病専門医による詳しい診断を受ける必要がある。測定値が予め定められた上限より高い場合も、その人は主要評価に対して適格ではない。それらの場合、その人は通常十分に健常であり、よってその生活様式についてさらなる推奨事項を受ける必要はない。測定値が予め定められた下限と予め定められた上限との間である場合、その人は、主要評価に適している。
【００３６】
特定の実施形態では、歩行は２〜６ｍ、３〜５ｍ、又は４ｍの歩行であり得る。歩行は、４ｍの距離であることが好ましい。上述した下限は、０．４〜０．８ｍ／秒、０．５〜０．７ｍ／秒、又は０．６ｍ／秒であり得る。上述した上限は、１．３〜１．７ｍ／秒、１．４〜１．６ｍ／秒、又は１．５ｍ／秒であり得る。好ましい実施形態では、下限は０．６ｍ／秒であり、上限は１．５ｍ／秒である。
【００３７】
主要評価
主要評価方法は、持久力評価方法、筋力評価方法、及び栄養評価方法を含む。評価では、年齢、性別、試験を受ける人の既往歴の結果などの要因を考慮することもできる。これらの要因は、求められた試験値の採点に影響を与え得る。
【００３８】
持久力評価
持久力評価方法は、人の持久力（たとえば、心肺適応能）及び／又は人の機能的能力（たとえば、歩行等の日常生活作業の特定の活動を実行する能力）を評価する少なくとも１つの試験を含み得る。持久力試験方法は、１個、２個、３個、４個、５個、６個、７個、８個、９個、又は１０個の詳細な（下位）持久力試験方法を含み得る。たとえば、１つの試験方法は、歩行試験又は自転車エルゴメーター試験であり得る。
【００３９】
人の持久力を評価する少なくとも１つの試験から得られた値は、採点され、予め決められた数のクラスに人の持久力を分類するために使用され得る。クラスは、予め設定された限度（カットオフ値）によって相互に区切られる。クラスの数は、３個、５個、６個、７個、８個、９個、又は１０個であることが好ましい。ただし、各持久力評価方法のクラスの数は、同じであることが必要である。各持久力評価について求められたクラスは、クラスに数値を割り当て、平均値を計算するか、又は数値を重み付けされた態様で組み合わせることにより、組み合わせることができる。各クラスに割り当てられる数値は、クラスごとに異なり、増分性である。各クラスは、人の特定の持久力を示す。たとえば、クラスに割り当てられた数値が高いほど、その人の持久力が高いことを示す。詳細な例では、持久力評価試験で得られた値に割り当てられる３つのクラスが存在し、それらのクラスがＥ１、Ｅ２、又はＥ３として指定され、Ｅ１は、測定された持久力が特定の予め定められた下限より低いことを示し、Ｅ３は、測定された持久力が特定の予め定められた上限よりも高いことを示す。Ｅ２は、測定された持久力が特定の予め定められた上限より低く、且つ特定の予め定められた下限より高いことを示す。このクラス方式は、１つのクラスへの所属を定義する予め定められた限度を備えた、３つを超えるクラスを含むようにも定義され得る（たとえば、Ｅ１、Ｅ２、Ｅ３、Ｅ４、Ｅ５）。
【００４０】
持久力評価方法は、人を予め定められた時間又は特定の距離にわたり歩かせることにより持久力を求める少なくとも１つの方法を含み得る。そのような試験時に、特定の歩行距離を定められた時間でこなす能力に直接関係する機能的有酸素容量を求めて、特定の値を得ることができる。好ましい持久力評価方法において、方法は歩行試験方法のみを含む。
【００４１】
好ましい方法では、４〜８分、５〜７分、又は６分歩いた人の有酸素容量が求められる。
【００４２】
好ましい方法では、人が設定時間内に歩くことができる距離が求められる。好ましい実施形態では、人が踏破した距離は、その人の性別に応じて別々に採点される。
【００４３】
好ましい方法では、歩行試験で、人が６分間に踏破した距離を測定する。
【００４４】
筋力評価
筋力評価方法は、人の筋力を評価する少なくとも１つの試験を含み得る。筋力評価方法は、上半身の筋力を求める少なくとも１つの方法、及び／又は下半身の筋力を求める少なくとも１つの方法を含み得る。下半身とは、肩の筋肉の下から始まるが、主として尻、下肢近位、及び下肢遠位の筋肉からなる体の部分を指すと考えられる。上半身とは、肩の筋肉から始まって指先まで遠位に伸び、上腕及び前腕の筋肉を含む体の部分を指すと考えられる。上半身の筋力を求める好ましい方法は、握力を求めることである。下半身の筋力を求める好ましい方法は、立ち上がり試験を実施することである。立ち上がり試験では、人が予め定められた時間内に、手を使わずに、座った姿勢から何回立ち上がって再び座ることができるかを判断する。
【００４５】
立ち上がり試験の予め決められた時間は、２０〜４０秒、２５〜３５秒、及び３０秒であり得る。
【００４６】
握力は、握力計（たとえば、グリップ−Ｄ、Ｔ．Ｋ．．５４０１、竹井機器工業株式会社、東京）により測定でき、出力値がＮ又はｋｇ単位で提供される。
【００４７】
人の筋力を測定する少なくとも１つの試験から得られた値は、予め決められた数のクラスに人の筋力を分類するために使用され得る。好ましい実施形態では、各筋力評価方法により得られた値は、限られた数のクラスにグループ化される。クラスの数は、３個、５個、６個、７個、８個、９個、又は１０個であることが好ましい。ただし、各筋力評価方法のクラスの数は、同じであることが必要である。各筋力評価について求められたクラスは、クラスに数値を割り当て、平均値を計算するか、又は数値を重み付けされた態様で組み合わせることにより、組み合わせることができる。各クラスは、人の特定の表示された筋力を示す。たとえば、クラスに割り当てられた数値が高いほど、その人の筋力が高いことを示す。詳細な例では、筋力評価試験で得られた値に割り当てられる３つのクラスが存在し、それらのクラスがＳ１、Ｓ２、又はＳ３として指定され、Ｓ１は、測定された筋力が特定の予め定められた下限より低いことを示し、Ｓ３は、測定された筋力が特定の予め定められた上限よりも高いことを示す。Ｓ２は、測定された筋力が特定の予め定められた上限より低く、且つ特定の予め定められた下限より高いことを示す。このクラス方式は、もちろん、１つのクラスへの所属を定義する予め定められた限度を備えた、３つを超えるクラスを含むようにも定義され得る。
【００４８】
栄養評価
簡易栄養状態評価表（Ｍｉｎｉ−Ｎｕｔｒｉｔｉｏｎａｌ  Ａｓｓｅｓｓｍｅｎｔ；ＭＮＡ（登録商標））は、栄養失調であるか又は栄養失調に陥る恐れがある６５歳以上の高齢患者を識別できる、有効な栄養スクリーニング評価ツールである。ＭＮＡ（登録商標）は、約２０年前に開発され、高齢者のための最も有効な栄養スクリーニングツールである。当初は１８個の質問で構成されていたが、現在のＭＮＡ（登録商標）は６個の質問で構成され、スクリーニングプロセスを簡素化している。現在のＭＮＡ（登録商標）（たとえば、Ｓｋａｔｅｓ  ＪＪ、Ａｎｔｈｏｎｙ  ＰＳ．  Ｉｄｅｎｔｉｆｙｉｎｇ  ｇｅｒｉａｔｒｉｃ  ｍａｌｎｕｔｒｉｔｉｏｎ  ｉｎ  ｎｕｒｓｉｎｇ  ｐｒａｃｔｉｃｅ：ｔｈｅ  Ｍｉｎｉ  Ｎｕｔｒｉｔｉｏｎａｌ  Ａｓｓｅｓｓｍｅｎｔ（ＭＮＡ（登録商標））−ａｎ  ｅｖｉｄｅｎｃｅ−ｂａｓｅｄ  ｓｃｒｅｅｎｉｎｇ  ｔｏｏｌ  Ｊ  Ｇｅｒｏｎｔｏｌ  Ｎｕｒｓ  ２０１２；３８（３）：１８−２７；ｑｕｉｚ  ２８−２９及び２０１３年１月４日に検索されたｈｔｔｐ：／／ｗｗｗ．ｍｎａ−ｅｌｄｅｒｌｙ．ｃｏｍ／ｄｅｆａｕｌｔ．ｈｔｍｌを参照）は、栄養失調であるか又は栄養失調に陥る恐れがある高齢者を識別することにおいて、当初のＭＮＡ（登録商標）の有効性及び精度を維持している。改定されたＭＮＡ（登録商標）Ｓｈｏｒｔ  Ｆｏｒｍは、介入へのつながりが簡素化且つ迅速化されており、現在は臨床用ＭＮＡ（登録商標）の好ましい書式である。
【００４９】
対象者の栄養状態のもう１つの評価は、食品頻度−蛋白質摂取量書式を使用した、蛋白質の通常の日常摂取量である。
【００５０】
顧客の蛋白質摂取量が十分であるか不十分であるかを判断するには、その顧客の体重（ｋｇ単位）を１．２で乗算する。１．２グラム／ｋｇ／日の蛋白質の通常摂取が十分であると考えられる。
【００５１】
対象者のＭＮＡ（登録商標）点数と、蛋白質摂取量が十分であるか否かの評価とを使用して、対象者の栄養指定を以下に基づき求める。
【表１】
0006422446.tif 000002
【００５２】
追加の評価
主要評価では、年齢、性別、体重、身長、試験を受ける人の既往歴など、他のパラメータを考慮することも含み得る。
【００５３】
運動プログラムの推奨
これまでのステップで求められた点数に基づいて、対象者に対して運動プログラムを選択又は推奨する。低い点数は、負荷の小さい運動プログラムに関連付けられ、高い点数は、負荷の大きい運動プログラムの選択又は推奨につながる。持久力又は筋力の評価が複数の評価方法を含む場合は、平均点を求めることで点数を組み合わせることができる。たとえば、筋力評価方法が握力の判断と立ち上がりの評価とを含み、第１の試験の点数が１で、第２の試験の点数が２である場合、平均は１．５である。点数に基づき、対象者をクラスにグループ化し、よって運動又は一連の運動を推奨することができる。
【００５４】
負荷の大きい運動とは、負荷の小さい運動に比べて、より長い時間がかかり、又は／及びより高い強度レベルで行われ、又は／及び予め定められた固定時間内により頻繁に反復される運動である。また、通常の運動プログラムに比べて短い時間に高い強度で実行される運動である「課題」を実行することもできる。
【００５５】
たとえば、筋力分類システムが３つのクラスを含む場合、推奨する運動ユニットは、最も小さい負荷に関連付けられるクラス（たとえば、Ｓ１と命名）用に、１０〜２０分又は１５分の運動ユニットを少なくとも１つ含む。このユニットは、週に３回実行される。
【００５６】
より負荷の大きい運動プログラムに関連付けられるクラス（たとえば、Ｓ２と命名）では、少なくとも１つの運動ユニットが、２０〜３０分又は２０分であり得る。このユニットは、週に３回実行される。
【００５７】
最も負荷の大きい運動プログラムに関連付けられるクラス（たとえば、Ｓ３と命名）では、少なくとも１つの運動ユニットが、３０〜４０分又は３５分であり得る。このユニットは、週に３回実行される。
【００５８】
対象者をシステムに分類するために複数の試験が使用されている場合、点数は異なる可能性がある。これらは、身体の異なる被試験領域間の身体的なアンバランスを示している可能性がある。その場合、運動ユニットは、より弱い身体状況を示す身体領域を訓練するように構成され得る。
【００５９】
好ましい実施形態では、持久力分類システムは、３つのクラスを含む。あるクラス（たとえば、Ｅ１と命名）は、最もお負荷の小さい運動プログラムに関連付けられ得る。運動プログラムは、少なくとも１つの運動ユニットを含む可能性がある。ユニットは、１０〜２０分又は１５分であり得る。ユニットは、週に３回実行される。
【００６０】
より負荷の大きい運動プログラムに関連付けられるクラス（たとえば、Ｅ２と命名）では、少なくとも１つの運動ユニットが２０〜３０分又は２０分であり得る。ユニットは、週に３回実行される。
【００６１】
最も負荷の大きい運動プログラムに関連付けられるクラス（たとえば、Ｅ３と命名）では、少なくとも１つの運動ユニットが３０〜４０分又は３５分であり得る。ユニットは、週に３回実行される。
【００６２】
栄養の推奨
栄養状態について得られたクラスに基づき、特定の栄養推奨事項を個人に提供することができる。栄養推奨事項は、人の身体可動性にとって重要な身体パラメータを維持又は向上させることを目的とする。特に、これらの身体パラメータは、骨量、筋肉量、筋力、及び関節の完全性である。よって、栄養は、完全な栄養の形式と補助的な栄養剤の形式の両方で、生物活性栄養素を含んでいる必要がある。本発明の生物活性栄養素は、骨量、筋肉量、筋肉強度、関節の完全性を維持する効果を有し、すなわち、関節を保護し、及び／又は人の快適さを向上させる。生物活性栄養素の例として、蛋白質補給の増加、特定の蛋白質サプリメント（乳清蛋白質など）、カルシウム、ビタミンＤなどがある。
【００６３】
コンピュータ実施方法及びシステム
データの受領、処理、及び出力に関する上述した方法のすべては、ソフトウェアプログラムとして実施し、コンピュータで実行することができる。
【００６４】
本発明は、対象者の身体状況を判断するコンピュータ実施方法であって、対象者の栄養パラメータ、身体持久力パラメータ、及び筋力パラメータの分類システムを用意するステップを含み、分類システムが、パラメータの数値的に求められた値にその値の点数を関連付け、またシステムが、点数にクラスを関連付け、システムが、クラスに特定の身体状況の表示を関連付け、対象者の機能的身体試験により求められたパラメータの値を入力し、その値を使用してデータベースに応じて各パラメータのそれらの値を採点し、得られた点数を使用して対象者をデータベースに応じて各パラメータに関するクラスに分類し、各パラメータについて求められたクラスを使用して対象者の身体状況の表示を求め、対象者の身体状況の表示を出力する方法に関する。
【００６５】
対象者は、高齢の対象者であり得、６５歳を超える人間の対象者であることが好ましい。持久力パラメータは、少なくとも１つの持久力試験により評価することができる。持久力試験は、歩行試験（たとえば、６分間の歩行試験）で達成された距離の測定からなるグループより選択できる。
【００６６】
筋力パラメータは、少なくとも握力試験又は立ち上がり試験で筋力を測定することにより評価することができる。
【００６７】
栄養パラメータは、少なくとも１つの栄養試験により評価することができる。栄養試験はＭＮＡであり得る。
【００６８】
コンピュータ実施方法は、追加のステップを含み得る。よってデータベースは、求められたクラスに基づいて、栄養、身体持久力、及び筋力に関する対象者への推奨事項も含む可能性がある。よって方法は、求められたクラスに特定の推奨事項を関連付け、それらの推奨事項を出力するステップも含む可能性がある。
【００６９】
運動プログラムは、求められたクラスごとに異なる可能性があるが、個人の嗜好にも応じ得る。
【００７０】
さらなる実施形態では、対象者の身体状況を判断する、コンピュータを備えるシステムが開示される。コンピュータは、対象者の栄養、身体持久力、及び筋力の各パラメータについての分類システムを含むデータベースを格納する。コンピュータは、コンピュータに対象者のパラメータの値を受領及び格納させ、対象者のパラメータの値を採点させ、得られた点数を使用して対象者をそれぞれのパラメータに関するクラスに分類させ、クラスに基づいて対象者の身体状況の値を計算させる命令を含むソフトウェアプログラムを格納する。
【００７１】
さらに、対象者の身体状況の向上を促進する、コンピュータを備えるシステムが開示される。コンピュータは、対象者の栄養、身体持久力、及び筋力の各パラメータについての分類システムを含むデータベースを格納する。コンピュータは、対象者の栄養、身体持久力、及び筋力の各パラメータについての分類システムを含むデータベースを格納する。コンピュータは、コンピュータに対象者のパラメータの値を受領及び格納させ、対象者のパラメータの値を採点させ、得られたスコアを使用して対象者をそれぞれのパラメータに関するクラスに分類させ、クラスに基づいて対象者の身体状況の値を計算させ、身体状況の値を対象者に対する特定の推奨事項と関連付けさせ、求められたクラスに基づいて栄養、身体持久力、及び筋力に関する対象者への推奨事項を出力させる命令を含むソフトウェアプログラムを格納する。
【００７２】
さらなる実施形態では、老人介護を個別化する方法は、身体機能試験、及び選択された高齢患者個体群の全体的な身体状況の識別に対する身体機能試験の妥当性に関するデータベースを作成するステップと、データベースをコンピュータに格納するステップと、コンピュータに特定の高齢患者個体群の筋力及び持久力関する実施可能な機能試験の結果を判断させるコンピュータプログラムを実行するステップであり、試験結果が栄養、筋力、及び持久力に関するエンドポイントを含むステップと、エンドポイントを使用して、栄養、筋力、及び持久力の試験結果に基づいてガイドラインを生成するプログラムを実行するステップであり、ガイドラインを特定の高齢個体群のメンバーに対して栄養運動プログラムを個別化するために使用できるステップとを含む。
【００７３】
少なくとも２つ又は３つの異なるプログラムがコンピュータによって使用される。
【００７４】
コンピュータプログラムをコンピュータにより実行して、メンバーに対して栄養運動プログラムを個別化することができる。コンピュータプログラムは、身体状況をメンバーへの推奨事項に関連付け、それらの推奨事項を出力するステップをさらに含み得る。栄養運動プログラム中にメンバーを監視して、栄養、筋力、及び持久力を求めることができる。監視の結果に応じて、栄養運動プログラムを修正することができる。運動プログラムは、メンバーの特定のニーズに適合した持久力及び筋力の運動プログラムであり得る。
【００７５】
例
例１：持久力の分類
持久力は、試験を行う３つのパラメータのうちの１つであり、３クラスシステムで評価できる（図１を参照）。
【００７６】
６分間の歩行を行い、以下の方式に従って被験者の成績を採点し、分類する（Ｅ１〜Ｅ３）。
【表２】
0006422446.tif 000003
平均速度及び対応するＭＥＴに基づく略等価を試験結果から個別に評価し、推奨される運動のガイドラインとして使用できる。
【００７７】
求められたクラスに基づき、運動プログラムに関する特定の推奨事項が提供される。
【表３】
0006422446.tif 000004
【００７８】
上記のように、設定された目標に対する進捗を密に監視することができる。
【００７９】
例２：筋力の分類
筋力は、試験を行う３つのパラメータのうちの１つであり、３クラスシステムで評価できる（図３を参照）。
【００８０】
この例の筋力試験は、２つの下位試験（握力試験及び立ち上がり試験）を含む。
【００８１】
握力試験及び立ち上がり試験が実施され、被験者の成績が以下の方式に従って採点される。
【表４】
0006422446.tif 000005
【表５】
0006422446.tif 000006
【００８２】
下位試験の点数の平均が求められる。平均点数により、成績をクラス（Ｓ１〜Ｓ３）にグループ分けし、運動に関する特定の推奨事項を提供することができる。
【表６】
0006422446.tif 000007
オプションで、上半身と下半身の点数に相違がある場合、運動推奨事項を弱い部分に向けることで「アンバランス」を矯正する。たとえば、握力と立ち上がりの点数がそれぞれ１と２である場合、運動の最大６５％及び最大３５％をそれぞれ上半身及び下半身に向けることができる。
【図１】
0006422446.tif 000008
【図２】
0006422446.tif 000009
【図３】
0006422446.tif 000010
【図４】
0006422446.tif 000011